(57)【特許請求の範囲】
【請求項１】
複数の中空部を有する長尺なデッキ材を複数枚大引上に並設して床板を構成し、この床板のデッキ材中空部端面および側面に幕板を取付けて構成されるデッキにおいて、
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、この側面突出部の上下幅はデッキ材の中空部の底板部の上下幅よりも大きく形成されており、
前記上下幅の差を補完する手段として、前記中空部端面におけるデッキ材底板部上面と前記固定具取付け部との間に設ける補完部材を備え、
前記固定部材をデッキ材の中空部端面に固定する際には、デッキ材底板部上面と前記固定具取付け部との間に前記補完部材を設け、前記垂直部をデッキ材の底板部端面に当て、前記補完部材と前記底板受け部との間でデッキ材の底板部を挟持し、前記固定具取付け部の前記固定具挿通孔および前記補完部材の固定具挿通孔から挿着する固定具により前記固定部材をデッキ材の底板部に固定し、
前記固定部材を床板の側面に固定する際には、前記側面突出部の外面に前記垂直部を当て、前記固定具取付け部と前記底板受け部との間に前記側面突出部を入れ、前記固定具取付け部の前記固定具挿通孔から挿着する固定具により前記固定部材をデッキ材の前記側面突出部に固定する構造を有することを特徴とするデッキ。
【請求項２】
複数の中空部を有する長尺なデッキ材を複数枚大引上に並設して床板を構成し、この床板のデッキ材中空部端面および側面に幕板を取付けて構成されるデッキにおいて、
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、前記側面突出部の上下幅はデッキ材の中空部の底板部の上下幅よりも大きく形成されており、
前記上下幅の差を補完する手段として、前記中空部を構成する底板部上に上方に向けて突出した突条を設け、
前記固定部材をデッキ材の中空部端面に固定する際には、前記垂直部をデッキ材の底板部端面に当て、前記固定具取付け部と前記底板受け部との間で前記突条を有するデッキ材の底板部を挟持し、前記固定具取付け部の固定具挿通孔から挿着する固定具により前記固定部材をデッキ材の底板部に固定し、
前記固定部材を床板の側面に固定する際には、前記デッキ材の側面突出部の外面に前記垂直部を当て、前記固定具取付け部と前記底板受け部との間に前記側面突出部を入れ、前記固定具取付け部の前記固定具挿通孔から挿着する固定具により前記固定部材をデッキ材の前記側面突出部に固定する構造を有することを特徴とするデッキ。
【請求項３】
複数の中空部を有する長尺なデッキ材を複数枚大引上に並設して床板を構成し、この床板のデッキ材中空部端面および側面に幕板を取付けて構成されるデッキにおいて
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、前記側面突出部の上下幅とデッキ材の中空部の底板部の上下幅とが等しく形成されており、
前記固定部材をデッキ材の中空部端面に固定する際には、前記取付け部の前記垂直部をデッキ材の底板部端面に当て、前記固定具取付け部と前記底板受け部との間でデッキ材の底板部を挟持し、前記固定具取付け部の固定具挿通孔から挿着する固定具により前記固定部材をデッキ材の底板部に固定し、
前記固定部材を床板の側面に固定する際には、前記側面突出部の外面に前記垂直部を当て、前記固定具取付け部と前記底板受け部との間で前記側面突出部を挟持し、前記固定具取付け部の前記固定具挿通孔から挿着する固定具により前記固定部材をデッキ材の前記側面突出部に固定する構造を有することを特徴とするデッキ。
【請求項４】
請求項１から３までのいずれか１項に記載のデッキにおいて、
前記固定具取付け部は、この垂直部からデッキ材側に斜め上方に向けて傾斜して形成され、かつ固定具挿通孔を有する上向き傾斜部と、この傾斜部の上端からデッキ材内側に下方に向けて傾斜して形成された下向き傾斜片とを備えたことを特徴とするデッキ。
【請求項５】
請求項４に記載のデッキにおいて、
前記補完部材は、前記傾斜片に嵌合されて取付けられる構造を有することを特徴とするデッキ。
【発明の詳細な説明】
【技術分野】
【０００１】
本発明は、住宅の庭先等に設置されるデッキに係わり、特にその幕板の取付け構造に関する。
【背景技術】
【０００２】
デッキは、地面上に分散配置された複数の束柱上に複数本の大引を載置固定し、この大引上に交差するように複数枚のデッキ材を並設して床板を構成すると共に、床板の端面、側面に固定部材を介して幕板を取付けて構成される。このような幕板の取付けを行なうための固定部材として、特許文献１には、デッキ材の中空部端面と側面に兼用可能とした固定部材が提案されている。
【０００３】
この従来の固定部材は、デッキ材内に形成された中空部と、大引内の中空部に収容されて固定される構造を有している。すなわちこの従来の固定部材は、天板部と両側板部と底板部とからなるほぼ４角形の中空の本体部と、この本体部の底板部を一方の側板部より外側に延出させて延出片を形成した構造を有する。そして、延出片を形成した側の反対側の側板部と底板部にはそれぞれ幕板取付け用のねじ孔を設けている。
【０００４】
この固定部材を用いてデッキ材の中空部端面に幕板を取付ける際には、中空部内に、固定部材を、その底板部を下側にして延出片側から挿入し、延出片の反対側の側板部を中空部端面から露出させた状態とする。そして、デッキ材の底板部に設けた固定具挿通孔からビスを挿入して固定部材の底板部に設けたねじ孔に螺合することにより、固定部材をデッキ材の中空部内に固定する。そしてこのデッキ材の端面と固定部材に幕板を当て、幕板に設けた固定具挿通孔からビスを挿入し、固定部材の側板部に設けたねじ孔にこのビスを螺合することにより、幕板を中空部端面に固定する。
【０００５】
一方、デッキ材の側面側に幕板を固定する場合は、延出片が上向きとなりかつ底板部および延出片が外側となるように固定部材の姿勢を変え、デッキ材を支持している大引の中空部に固定部材の本体部を天板部から挿入する。すなわち延出片の反対側となる固定具挿通孔付きの側板部を下にして大引内に本体部を挿入し、大引の上に固定されるデッキ材の側面に設けた溝に、延出片に設けた係止片を係止する。そして、大引の底板部に設けた固定具挿通孔に下側からビスを挿入し、水平となっている固定部材の側板部のねじ孔に螺合することにより、固定部材をデッキ材に固定する。その後、幕板に設けた固定具挿通孔からビスを挿入し、垂直になっている固定部材の底板部のねじ孔にこのビスを螺合することにより、幕板をデッキ材側面に固定する。
【先行技術文献】
【特許文献】
【０００６】
【特許文献１】特開２００６−２８３２８２号公報
【発明の概要】
【発明が解決しようとする課題】
【０００７】
しかしながら、前記特許文献１に記載のデッキの構成を実現する場合、固定部材をデッキ材や大引に取付ける際に、ビスをデッキ材の底板部や大引の底板部にそれぞれ設けた固定具挿通孔に下側からビスを挿入して固定部材に設けたねじ孔に螺合しなければならず、固定取付け作業が容易ではないという問題点がある。また、４角形の本体部の形状、サイズがデッキ材の中空部や大引内の中空部の形状、サイズに一致しないと固定部材を適用することができず、汎用性が乏しいという問題点がある。
【０００８】
本発明は、上記問題点に鑑み、デッキ材の中空部端面と床板の側面に幕板取付け材として兼用可能であると共に、デッキ材に対する取付けが容易となる構造の固定部材を備えたデッキを提供することを目的とする。
【課題を解決するための手段】
【０００９】
請求項１のデッキは、
複数の中空部を有する長尺なデッキ材を複数枚大引上に並設して床板を構成し、この床板のデッキ材中空部端面および側面に幕板を取付けて構成されるデッキにおいて、
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、この側面突出部の上下幅はデッキ材の中空部の底板部の上下幅よりも大きく形成されており、
前記上下幅の差を補完する手段として、前記中空部端面におけるデッキ材底板部上面と前記固定具取付け部との間に設ける補完部材を備え、
前記固定部材をデッキ材の中空部端面に固定する際には、デッキ材底板部上面と前記固定具取付け部との間に前記補完部材を設け、前記垂直部をデッキ材の底板部端面に当て、前記補完部材と前記底板受け部との間でデッキ材の底板部を挟持し、前記固定具取付け部の前記固定具挿通孔および前記補完部材の固定具挿通孔から挿着する固定具により前記固定部材をデッキ材の底板部に固定し、
前記固定部材を床板の側面に固定する際には、前記側面突出部の外面に前記垂直部を当て、前記固定具取付け部と前記底板受け部との間に前記側面突出部を入れ、前記固定具取付け部の前記固定具挿通孔から挿着する固定具により前記固定部材をデッキ材の前記側面突出部に固定する構造を有することを特徴とする。
【００１０】
請求項２のデッキは、
複数の中空部を有する長尺なデッキ材を複数枚大引上に並設して床板を構成し、この床板のデッキ材中空部端面および側面に幕板を取付けて構成されるデッキにおいて、
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、前記側面突出部の上下幅はデッキ材の中空部の底板部の上下幅よりも大きく形成されており、
前記上下幅の差を補完する手段として、前記中空部を構成する底板部上に上方に向けて突出した突条を設け、
前記固定部材をデッキ材の中空部端面に固定する際には、前記垂直部をデッキ材の底板部端面に当て、前記固定具取付け部と前記底板受け部との間で前記突条を有するデッキ材の底板部を挟持し、前記固定具取付け部の固定具挿通孔から挿着する固定具により前記固定部材をデッキ材の底板部に固定し、
前記固定部材を床板の側面に固定する際には、前記デッキ材の側面突出部の外面に前記垂直部を当て、前記固定具取付け部と前記底板受け部との間に前記側面突出部を入れ、前記固定具取付け部の前記固定具挿通孔から挿着する固定具により前記固定部材をデッキ材の前記側面突出部に固定する構造を有することを特徴とする。
【００１１】
請求項３のデッキは、
複数の中空部を有する長尺なデッキ材を複数枚大引上に並設して床板を構成し、この床板のデッキ材中空部端面および側面に幕板を取付けて構成されるデッキにおいて
前記床板と幕板との間に介装する幕板取付け用の固定部材として、縦板部と、この縦板部の上部に設けられたデッキ材への取付け部とを備え、
前記取付け部は、前記縦板部からデッキ材側に突出して形成され、デッキ材の底板部下面に当接する底板受け部と、デッキ材の底板部の端部に当接させる垂直部と、この垂直部の上部からデッキ材側に向けて形成された固定具取付け部とを備え、
前記デッキ材の側面に外側に突出する側面突出部が設けられ、前記側面突出部の上下幅とデッキ材の中空部の底板部の上下幅とが等しく形成されており、
前記固定部材をデッキ材の中空部端面に固定する際には、前記取付け部の前記垂直部をデッキ材の底板部端面に当て、前記固定具取付け部と前記底板受け部との間でデッキ材の底板部を挟持し、前記固定具取付け部の固定具挿通孔から挿着する固定具により前記固定部材をデッキ材の底板部に固定し、
前記固定部材を床板の側面に固定する際には、前記側面突出部の外面に前記垂直部を当て、前記固定具取付け部と前記底板受け部との間で前記側面突出部を挟持し、前記固定具取付け部の前記固定具挿通孔から挿着する固定具により前記固定部材をデッキ材の前記側面突出部に固定する構造を有することを特徴とする。
【００１２】
請求項４のデッキは、請求項１から３までのいずれか１項に記載のデッキにおいて、
前記固定具取付け部は、この垂直部からデッキ材側に斜め上方に向けて傾斜して形成され、かつ固定具挿通孔を有する上向き傾斜部と、この傾斜部の上端からデッキ材内側に下方に向けて傾斜して形成された下向き傾斜片とを備えたことを特徴とする。
【００１３】
請求項５のデッキは、請求項４に記載のデッキにおいて、
前記補完部材は、前記傾斜片に嵌合されて取付けられる構造を有することを特徴とする。
【発明の効果】
【００１４】
請求項１の発明によれば、固定部材のデッキ材への取付け部を、デッキ材の中空部端面の底板部と側面突出部との双方に取付け可能な構造としたので、固定部材の種類が1種類ですみ、製造設備、製造コストおよび保管上有利となる。また、本発明の固定部材は、床板の外側から固定具による固定が可能となるので、床板に対する取付けが容易となる。
【００１５】
また、デッキ材の中空部端面に取付ける固定部材の固定具取付け部とデッキ材の底板部上面との間に補完部材を設けて前記上下幅を補完する構造としたので、デッキ材を大引に固定する上で有利な構造であるデッキ材側面のL字形の突出部を維持したままで固定部材の中空部端面、側面への兼用が可能となる。また、補完部材と底板受け部との間で底板部を緊密に挟持することができる。また、補完部材のサイズを変更することにより、種々の底板部の厚みに対応することが可能となり、汎用性が得られる。
【００１６】
請求項２の発明によれば、デッキ材の中空部端面に取付ける固定部材と底板部上面との間に別部品である補完部材を設けることなく、かつデッキ材の側面のL字形の突出部を維持したままで固定部材の中空部端面、側面への兼用が可能となるので、部品製作および管理上有利であり、また、取付け作業上も補完部材を固定部材と底板部上面との間に取付ける必要がない点で有利となる。また、中空部の底板部に形成する突条に固定具取付け部を当接させる構成としたので、デッキ材の重量をあまり大きくすることなく、固定部材の中空部端面と側面に兼用できる構造が実現できる。
【００１７】
請求項３の発明によれば、デッキ材の中空部端面に取付ける固定部材と底板部上面との間に別部品である補完部材を設けることなく、固定部材の中空部端面、側面への兼用が可能となり、部品製作および管理上有利であり、また、取付け作業上も補完部材を固定部材と底板部上面との間に取付ける必要がない点で有利となる。また、デッキ材の中空部の底板部と、側面突出部の上下幅を揃えたので、固定部材の取付け部をデッキ材の中空部の底板部と側面突出部に緊密に固定できる。
【００１８】
請求項４の発明によれば、固定部材の垂直部からデッキ材側に斜め上方に向けて傾斜して形成され、かつ固定具挿通孔を有する上向き傾斜部と、この傾斜部の上端からデッキ材内側に下方に向けて傾斜して形成された下向き傾斜片とを備えて固定具取付け部を構成したので、固定具取付け部の強度が向上すると共に、固定具挿通孔を斜め上方に向けて傾斜した傾斜部に設けたので、固定具による取付けが容易となる。
【００１９】
請求項５の発明によれば、デッキ材の中空部端面に取付ける固定部材の下向き傾斜片に補完部材を嵌めて取付ける構造としたので、補完部材を固定具取付け部に取付けた状態でデッキ材の中空部内に挿入して固定部材を取付けることができ、固定部材の取付けが容易となる。
【図面の簡単な説明】
【００２０】
【図１】本発明のデッキの一実施の形態を一部分離状態で示す斜視図である。
【図２】本実施の形態のデッキの側面図である。
【図３】本実施の形態のデッキの組立工程を示す斜視図である。
【図４】本実施の形態のデッキ材の正面図である。
【図５】本実施の形態の幕板の側面図である。
【図６】（A）は本実施の形態の固定部材の斜視図、（B）はその側面図である。
【図７】（A）は本実施の形態の固定部材に取付ける補完部材の正面図、（B）はこの補完部材を固定部材の取付け部と共に示す側面図である。
【図８】本実施の形態の固定部材の中空部端面への取付け状態を示す正面図である。
【図９】本実施の形態の固定部材の中空部端面への取付け状態を示す側面断面図である。
【図１０】本実施の形態の固定部材のデッキ材の側面への取付け状態を示す側面断面図である。
【図１１】本実施の形態において、（A）は大引の端部に取付ける取付け金具を介してデッキ材を取付けた状態を示す斜視図、（B）、（C）、（D）はそれぞれこの取付金具の側面図、平面図および正面図である。
【図１２】本実施の形態において、（A）は図１１に示した取付け金具により大引にデッキ材を取付けた状態を示す側面図、（Ｂ）は同じく正面図である。
【図１３】（A）、（Ｂ）、（Ｃ）はそれぞれデッキ材間に設けられてデッキ材を大引に固定する固定部品を示す平面図、正面図、側面図、（Ｄ）はこの固定部品を用いてデッキ材を大引に取付けた状態を示す正面図である。
【図１４】（A）は本発明による固定部材のデッキ材側面への取付け構造の他の実施の形態を示す正面断面図、（B）は同じくその側面断面図である。
【図１５】（A）は本発明による固定部材のデッキ材側面への取付け構造のさらに他の実施の形態を示す正面断面図、（B）は同じくその側面断面図である。
【発明を実施するための形態】
【００２１】
図１は本発明のデッキの一実施の形態を示す斜視図、図２はその側面図、図３はその組立途中の状態を示す斜視図である。１は住宅敷地等に分散設置される基礎台、２は各基礎台1上に設置される束柱、３は複数本の束柱に載せて固定具（図示せず）により固定される大引であり、本実施の形態においては、束２や大引３は押出形材からなるものを用いているが鋼製のものを用いてもよい。４は長尺なデッキ材であり、この複数枚のデッキ材４を大引３上に大引３に対して交差状に並べて載せ、後述の取付金具１３（図１１、図１２参照）や固定部品１５（図１３参照）を用いて大引３に固定して床板６を構成する。
【００２２】
このデッキ材４は木粉を混入した樹脂の押出成形材でなる。このデッキ材４は、図４に示すように、底板部４ａと天板部４ｂとの間に縦板部４ｃを設けて複数の中空部４ｄを形成したものである。また、このデッキ材４は両側面に底板部４ａから外側に突出させた突出部４ｅを有し、この突出部４ｅは、上方に突出した突条４ｆを有するＬ字形をなす。このデッキ材４は、上下対称形を有し、上下反転しても反転しない場合と同様に大引３に設置可能に構成している。
【００２３】
５Ａは床板６を構成するデッキ材４の中空部端面に取付けられる幕板、５Ｂは床板６の側面に取付けられる幕板である。これらの幕板５Ａ，５Ｂはアルミニウムまたは樹脂でなる押出形材により製作されたものであり、図５の側面図に示すように、共通の構造を有するものである。７は幕板５Ａ，５Ｂを床板６の中空部端面、側面に取付けるために共通に用いられる固定部材である。
【００２４】
図６（Ａ）、（Ｂ）はそれぞれ固定部材７を示す斜視図および側面図である。この実施の形態の固定部材７はアルミニウムまたは樹脂製の押出形材により製作されたものであるが、鋼材を用いることもできる。７ａは幕板５Ａ，５Ｂを当てて固定する縦板部であり、その下端に外側にＬ字形に曲成した幕板載置部７ｂを形成する。また、この縦板部７ａはその下部に強度増大のためにデッキ材４側に凹ませた凹部７ｃを有する。
【００２５】
縦板部７ａの上部にはデッキ材４への取付け部７ｄを有する。この取付け部７ｄは、縦板部７ａからデッキ材４側に突出して形成され、デッキ材４の底板部４ａの下面に当接する底板受け部７ｅと、デッキ材４の底板部４ｅの端部に当接させる垂直部７ｆと、この垂直部７ｆからデッキ材４側に向けて形成された固定具取付け部７ｈとを有する。この実施の形態の固定具取付け部７ｈは、斜め上方に向けて傾斜して形成され、かつ固定具挿通孔７ｇを有する上向き傾斜部７ｈ１と、この上向き傾斜部７ｈ１の上端からデッキ材側に下方に向けて傾斜して形成された下向き傾斜片７ｈ２とを備える。上向き傾斜部７ｈ１および下向き傾斜片７ｈ２は、デッキ材４の縦板部４ｃに嵌めるための切欠７ｊを挟んで左右２つに分割されて構造で形成される。底板受け部７ｅは、縦板部７ａ側に形成されたデッキ材４の底板部４ａの下面に当接させる水平部７ｋと、その水平部７ｋから下向きに傾斜して形成された下向き傾斜部７ｍと、その下向き傾斜部の先端から上向きに斜めに形成された上向き傾斜片７ｎとからなる。
【００２６】
この固定部材７を中空部端面側幕板５Ａと側面側幕板５Ｂとで兼用する場合、図4に示す底板部４ａの上下幅ａと突出部４ｆの上下幅ｂの相違によって、中空部端面側幕板５Ａを取付ける場合のガタの発生を解消する必要がある。このガタの解消のため、図７（Ａ）の正面図および図７（Ｂ）の側面図に示すように、この実施の形態においては、固定部材７の取付け部７ｄの下向き傾斜片７ｈ２に嵌める補完部材８を設ける。この補完部材８は樹脂、金属もしくは木製あるいはこれらの複合材料により構成できるものである。この補完部材８は固定具取付け部７ｈと同じ横幅を有する。この補完部材８は傾斜片７ｈ２に嵌める溝８ａを有し、この溝８ａを形成する下部分８ｂと上部分８ｃとの間は弾性変形により拡げることができる。この補完部材８は、傾斜片７ｈ２に嵌めた状態で抜け止めするため、溝８ａを形成する上部分８ｃの内面に、傾斜片７ｈ２に設けた溝７ｐに嵌まる突起８ｄを設ける。また、この補完部材８には固定具挿通孔８ｅを設ける。
【００２７】
図８はこの補完部材８を取付けた固定部材７をデッキ材４の中空部端面に取付けた状態を示す正面図、図９はその固定部材７を介してデッキ材４に幕板５Ａを取付けた状態を示す側面断面図である。図８、図９に示すように、固定部材７をデッキ材４の中空部端面に取付ける際は、補完部材８と底板受け部７ｅとの間でデッキ材４の底板部４ａを挟持すると共に、切欠７ｊをデッキ材４の縦板部４ｃに嵌め、かつ垂直部７ｆを中空部端面に当てる。そして、タッピングねじ９を固定部材７の固定具挿通孔７ｇおよび補完部材８の固定具挿通孔８ｅに通し、デッキ材４の底板部４ａおよび固定部材７の下向き傾斜片７ｎにタッピングねじ９で穿孔しながらねじ込むことにより、固定部材７を底板部４ａに固定する。
【００２８】
このようにして固定部材７を図１に示した床板６の中空部端面に必要個数取付けた後、この中空部端面に取付ける幕板５Ａを固定部材７の下端に設けた幕板載置部７ｂ上に仮置きし、図９に示すように、タッピングねじ１０を幕板５Ａおよび縦板部７ａに穿孔しながらねじ込んで幕板５Ａを固定部材７に固定して幕板５Ａをデッキ材４の中空部端面に取付ける。
【００２９】
図１０はデッキ材４の側面に幕板５Ｂを取付けた状態を示す側面図であり、この場合には、取付け部７ｄの垂直部７ｆを突条４ｆを有する側面突出部４ｅに当てると共に、固定具取付け部７ｈと底板受け部７ｅとの間に上方への突条４ｆを有する側面突出部４ｅを入れる。そしてタッピングねじ１１を固定具取付け部７ｈの固定具挿通孔７ｇから挿入して側面突出部４ｅと固定部材７の底板受け部７ｅの上向き傾斜片７ｎに穿孔しながらねじ込んで固定部材７をデッキ材４の側面部に固定する。このような固定部材７を図１に示した床板６の側面に必要個数取付けた後、幕板５Ｂを固定部材７の下端に設けた幕板載置部７ｂ上に仮置きし、タッピングねじ１２を幕板５Ｂおよび縦板部７ａに穿孔しながらねじ込んで幕板５Ｂを固定部材７に固定して幕板５Ｂをデッキ材４の側面に取付ける。
【００３０】
このように、この実施の形態においては、固定部材７のデッキ材４への取付け部７ｄの構造を、デッキ材４の底板部４ａの下面に当接する底板受け部７ｅと、デッキ材４の底板部４ａの端部に当接させる垂直部４ｆと、この垂直部４ｆからデッキ材４側に向けて形成された固定具取付け部７ｈとを備えた構造とし、取付け部７ｄをデッキ材４の中空部４ｄの端面と床板側面のいずれにも取付け可能な構造としたので、固定部材７の種類が1種類ですみ、製造設備、製造コストおよび保管上有利となる。また、本発明の固定部材７は、床板の外側からタッピングねじ９，１１による固定が可能となるので、デッキ材４に対する取付けが容易となる。
【００３１】
また、この実施の形態においては、床板６の側面に固定部材７を取付ける際には補完部材８を除く構成としたので、後述のようにデッキ材４を大引３に固定する上で有利な構造であるデッキ材側面のＬ字形の突出部４の構造を維持したままで固定部材７の中空部端面、側面への兼用が可能となる。また、補完部材８のサイズを変更することにより、底板部４ａの上下幅ａが異なる種々のデッキ材に対応することが可能となる。また、固定部材７をデッキ材４の中空部端面に取付ける際には、補完部材８と底板受け部７ｅとの間で底板部４ａを緊密に挟持することができる。
【００３２】
またこの実施の形態においては、固定具取付け部７ｈが、垂直部４ｆからデッキ材４側に斜め上方に向けて傾斜して形成された上向き傾斜部７ｈ１と、この固定具取付け部７ｈ１の上端からデッキ材側に下方に向けて傾斜して形成された下向き傾斜片７ｈ２とを備えた構造としたので、固定具取付け部７ｈの強度が向上する。また、補完部材８は固定具取付け部７ｈと底板部４ａの上面に介在させて前記上下幅の差を補完する機能をもつものであればよいが、この実施の形態においては、固定部材７の上向き傾斜片７ｈ２に補完部材８を嵌めて取付ける構造としたので、補完部材８を固定具取付け部７ｈに取付けた状態でデッキ材４の中空部４ｄ内に挿入させて固定部材７を取付けることができ、固定部材７の取付けが容易となる。
【００３３】
図１１、図１２はこの実施の形態において、大引３の端部にデッキ材４を固定する際に好適な取付け金具１３を示す。図１１（Ａ）はこの取付け金具１３の取付け部位を示す斜視図、図１１（Ｂ）、（Ｃ）、（Ｄ）はそれぞれ取付け金具１３の側面図、平面図、正面図、図１２（Ａ）は取付け金具１３の取付け構造を示す側面図、１２（Ｂ）はその正面図である。この取付け金具１３は鋼材でなり、図１１（Ｂ）、（Ｃ）、（Ｄ）に示すように、縦板部１３ａの上端部にデッキ材４の側面突出部４ｅの突条４ｆに係止する鉤状の係止部１３ｂを形成し、縦板部１３ａの下部の両側に、大引３に固定するための固定具挿通孔１３ｃを有する取付け片１３ｄを形成したものである。
【００３４】
図１２（Ａ）に示すように、この取付け金具１３の一方の取付け片１３ｄの内面から他方の取付け片１３ｄの外面に至る幅ｅは、大引３の一方の側板部３ａの外面から他方の側板部３ａの内面に至る幅ｄより狭幅に形成される。そして、この取付け金具１３により大引３の端部にデッキ材４を固定する場合には、図１１（Ａ）、図１２（Ａ）、（Ｂ）に示すように、大引３上にデッキ材４を載せ、取付け金具１３の係止部１３ｂをデッキ材４の突条４ｆに掛け、縦板部１３ａを大引３の一方の側板部３ａの端面に当て、一方の取付け片１３ｄを大引３の一方の側板部３ａの外面に当てると共に、他方の取付け片１３ｄは大引３の左右の側板部３ａ，３ａ間に挿入する。そして、タッピングねじ１４を固定具挿通孔１３ｃから挿入して大引の側板部３ａに穿孔してねじ込むことにより、取付け金具１３を大引３に固定する。
【００３５】
大引３の端部にデッキ材４を固定する従来の取付け金具は、例えば特開２０１１−５８２２０号公報に記載のように、大引の端面を抱持するように、大引の端面に合致する構造を有し、両側板部を固定具により固定する構造を有する。しかしながらこの従来構造によると、大引の幅が異なる場合には適用できない。一方、図１１、図１２に示した取付け金具１３は、一方の取付け片１３ｄの内面を大引３の側板部３ａの外面に当て、他方の取付け片１３ｄは大引３の側板部３ａ，３ａ間に挿入する構造にしたので、左右の側板部３ａ，３ａの外面間の幅が異なる大引にも適用でき、汎用性が向上する。
【００３６】
次に大引３の端部以外の部分にデッキ材４を固定する場合に好適な固定部品の例を図１３により説明する。図１３において、（Ａ）、（Ｂ）、（Ｃ）はそれぞれこの固定部品１５の平面図、正面図、側面図であり、この固定部品１５は公知のものである。この固定部品１５は樹脂製であり、図１３（Ｄ）に示すように、デッキ材４の側面の前記突条４ｆ上に当接させてデッキ材４の側面を押さえる左右の押さえ部１５ａ，１５ｂを形成し、この左右の押さえ部１５ａ，１５ｂの間に、隣接するデッキ材４，４間で挟持する下挟持部１５ｃおよび上挟持部１５ｄを有し、これらの挟持部１５ｃ，１５ｄに上下方向に貫通する固定具挿通孔１５ｅを有する。
【００３７】
このように上下に挟持部１５ｃ，１５ｄを有する固定部品１５を用いれば、図１１、図１２で示したような取付け金具１３を用い、デッキ材４を等間隔にしかも容易に配置することができる。すなわち図３に示すように、大引３の両端にデッキ材４を固定しておき、その後、両端のデッキ材４，４の間に、複数枚のデッキ材４を、図１３（Ｄ）に示すように固定部品１５をデッキ材４，４間に介在させ、固定部品１５の押さえ部１５ａ，１５ｂを上下の突条４ｆ，４ｆ間に挿入した状態で、かつタッピングねじ１６を付けない状態で配置する。このようにデッキ材４を配置すると、通常は最後の２枚が図１の４Ｘ，４Ｙに示すように山なりの状態になる。そこでこの２枚のデッキ材４Ｘ，４Ｙの相互の隣接部分を上方から押圧して平らにし、大引３上に付ける。このようにしてデッキ材４を配置することにより、デッキ材４の間隔を等間隔に配置することができる。このようにデッキ材４を等間隔に配置した状態で、図１３（Ｄ）に示すように、タッピングねじ１６を固定具挿通孔１５ｅから挿入して大引３に穿孔してねじ込むことにより、デッキ材４を大引３に固定する。
【００３８】
従来のデッキ材の固定部品は、上部の挟持部１５ｄを有しておらず、デッキ材４を大引３上に全部配置した後の大引３への固定が困難であったため、デッキ材４を片側から順番に大引３に固定していたが、このような組み立て工程による場合、大引３の端部側でデッキ材４の側面が大引３から突出する場合があり、その場合はデッキ材４の大引３への固定作業をやり直すことがあった。反対に、最端部のデッキ材４の側面が大引３の端部に至らず、大引３を切断したりする必要が生じる場合があった。このため、大引３へのデッキ材４の取付けが能率的に行なえなかった。しかし、図１３に示す固定部品１５を用いれば、デッキ材４を大引３に全部配置した後にタッピングねじ１６によってデッキ材４を大引３に固定することができるため、従来のようなやり直しや大引３の切断等の必要がなくなり、施工が能率的に行なえると共に、施工が容易になる上、デッキ材４の等間隔配置が可能となる。
【００３９】
図１４は本発明の他の実施の形態を示す断面図であり、（Ａ）はデッキ材４の側面側に固定部材７を取付けた状態を示し、（Ｂ）はデッキ材４の中空部端面に固定部材７を取付けた状態を示す。この実施の形態において、デッキ材４の側面突出部４ｅは前記実施の形態と同様に上向きの突条４ｆを有するＬ字形に形成したため、図４に示したように、この突条４ｆを含む側面突出部４ｅの上下幅ｂは、デッキ材４の中空部４ｄを形成する底板部４ａの上下幅ａより大きく形成されている。この実施の形態においては、この側面突出部４ｅと前記上下幅の差（ｂ−ａ）を補完する手段として、中空部を構成する底板部４ａの上面に上方に向けて突出した突条４ｇを設け、前記下向き傾斜片７ｈ２と底板受け部４ｅとの間で突条４ｇを有する底板部４ａを挟持する構成にしたものである。
【００４０】
この実施の形態によれば、デッキ材４の中空部端面に取付ける固定部材７の固定具取付け部７ｈと底板部４ａとの間に補完部材８を設ける必要がないので、部品製作および管理上有利であり、また、取付け作業上も補完部材８を固定部材７に取付ける必要がない点で有利となる。また、底板部４ａ上面に形成する突条４ｇに固定部材７の下向き傾斜片７ｈ２を当接させる構成としたので、デッキ材４の重量をあまり大きくすることなく、固定部材７のデッキ材４の中空部端面と側面に兼用できる構造が実現できる。
【００４１】
図１５は本発明のさらに他の実施の形態を示す断面図であり、（Ａ）はデッキ材４の側面側に固定部材７を取付けた状態を示し、（Ｂ）はデッキ材４の中空部端面に固定部材７を取付けた状態を示す。この実施の形態においては、デッキ材４の中空部４ｄの底板部４ａの上下幅ａをデッキ材４の側面の底板部からの側面突出部４ｈの上下幅ｃと等しく（ａ＝ｃ）したものである。そして、固定部材７をデッキ材の中空部端面、側面に取付ける場合にはいずれも傾斜片７ｈ２と底板受け部７ｅとの間で底板部４ａや側面突出部４ｈを挟持する。この実施の形態によれば、図１４の実施の形態と同様に、固定部材７の固定具取付け部７ｈと底板部４ａとの間に補完部材８を設ける必要がないので、部品製作および管理上有利であり、また、取付け作業上も補完部材８を固定部材７に取付ける必要がない点で有利となる。
【００４２】
上記実施の形態においては、固定部材７をデッキ材４の中空部端面あるいは側面に固定するための固定具としてタッピングねじ９，１１を用いたが、この代わりにデッキ材４や底板受け部７ｅの傾斜片７ｎに予め固定具挿通孔を設けるか、あるいは現場で固定具挿通孔を設け、その孔に穿孔機能の無いねじを挿通してそのねじにナットを螺合する構造としてもよい。しかしながら、上記各実施の形態で示したように、タッピングねじ９，１１によりデッキ材４や傾斜片７ｎに穿孔する構成とすることにより、ねじ孔合わせ等の煩雑さがなく、施工が容易になる。
【００４３】
以上本発明を実施の形態により説明したが、本発明は、上記実施の形態に限らず、本発明の要旨を逸脱しない範囲において、大引３、デッキ材４、床板６、固定部材７、幕板５Ａ，５Ｂの形状や組み合わせ等について、種々の変更、付加が可能である。
【符号の説明】
【００４４】
１：基礎台、２：束柱、３：大引、４：デッキ材、４ａ：底板部、４ｄ：中空部、４ｅ：側面突出部、４ｆ：突条、４ｇ：突条、５Ａ，５Ｂ：幕板、６：床板、７：固定部材、７ａ：縦板部、７ｂ：幕板載置部、７ｅ：底板受け部、７ｆ：垂直部、７ｇ：固定具挿通孔、７ｈ１：固定具取付け部、７ｈ２：傾斜片、７ｊ：切欠、７ｋ：水平部、７ｍ：傾斜部、７ｎ：傾斜片、８：補完部材、８ａ：溝、９〜１２：タッピングねじ、１３：取付け金具、１４：タッピングねじ、１５：固定部品、１６：タッピングねじ
【図１】
0005726032.tif 000002
【図２】
0005726032.tif 000003
【図３】
0005726032.tif 000004
【図４】
0005726032.tif 000005
【図５】
0005726032.tif 000006
【図６】
0005726032.tif 000007
【図７】
0005726032.tif 000008
【図８】
0005726032.tif 000009
【図９】
0005726032.tif 000010
【図１０】
0005726032.tif 000011
【図１１】
0005726032.tif 000012
【図１２】
0005726032.tif 000013
【図１３】
0005726032.tif 000014
【図１４】
0005726032.tif 000015
【図１５】
0005726032.tif 000016